(57)【要約】【課題】  手ブレの抑制に伴う手間を省く工夫が図られた撮影装置を提供する。【解決手段】  筐体と、筐体内に配備された、撮影指示に応じて被写体の撮影を行う撮影部とを有する撮影装置において、レリーズボタンを有する頭部と、レリーズボタンの押下操作による操作指示を撮影部に伝えるレリーズケーブルとを有するケーブルレリーズ、および、筐体内部に配備された、レリーズケーブルを巻き取る方向に付勢しレリーズケーブルを引出自在に巻き取る巻取機構を備えた。【選択図】        図１
2007003802.tif 000002
【特許請求の範囲】
【請求項１】
筐体と、該筐体内に配備された、撮影指示に応じて被写体の撮影を行う撮影部とを有する撮影装置において、
レリーズボタンを有する頭部と、該レリーズボタンの押下操作による撮影指示を前記撮影部に伝えるレリーズケーブルとを有するケーブルレリーズ、および
前記筐体内部に配備された、前記レリーズケーブルを巻き取る方向に付勢し該レリーズケーブルを引出自在に巻き取る巻取機構を備えたことを特徴とする撮影装置。
【請求項２】
前記筐体が、前記巻取機構により巻き取られた状態における前記レリーズケーブルの前記頭部を着脱自在に固定する固定部を備えたものであることを特徴とする請求項１記載の撮影装置。
【請求項３】
引き出された状態の前記レリーズケーブルの巻取りを解除自在に阻止するストッパ機構を備えたことを特徴とする請求項１記載の撮影装置。
【請求項４】
前記ストッパ機構が、前記巻取機構による前記レリーズケーブルの引出しおよび巻取りに連動して回転するラチェット爪と、該ラチェット爪と係合して、該ラチェット爪の、前記引出方向の回転を許容すると共に前記巻取方向の回転を阻止するラチェットレバーとを有するラチェット機構からなるものであることを特徴とする請求項３記載の撮影装置。
【請求項５】
前記レリーズボタンの押下操作がなされてから次の押下操作がなされるまでの経過時間を計測するタイマと、
前記巻取機構による、前記レリーズケーブルの巻取りの完了を検知する巻取完了検知センサと、
前記タイマによる計測時間が所定時間以上となったときに前記レリーズケーブルの巻取完了が前記巻取完了検知センサにより未検知であった場合に、前記ストッパ機構の回転阻止機能を解除する機能制御部とを備えたことを特徴とする請求項３記載の撮影装置。
【請求項６】
前記撮影部への電力供給の停止指示を検知する電源オフ検知センサと、
前記レリーズケーブルの巻取りの完了を検知する巻取完了検知センサと、
前記電源オフ検知センサにより前記停止指示を検知したときに前記巻取完了が前記巻取完了検知センサにより未検知であった場合に、前記ストッパ機構の回転阻止機能を解除する機能制御部とを備えたことを特徴とする請求項３記載の撮影装置。
【請求項７】
前記ストッパ機構の回転阻止機能の解除開始から終了までの時間を計測するタイマを備え、
前記機能制御部は、前記タイマによる計測時間が所定時間以上経過したときに、前記ストッパ機構の回転阻止機能を復帰させるものであることを特徴とする請求項５又は６記載の撮影装置。
【発明の詳細な説明】
【技術分野】
【０００１】
本発明は、撮影指示に応じて被写体の撮影を行う撮影部を有する撮影装置に関する。
【背景技術】
【０００２】
従来より、カメラの上面には、シャッタレリーズボタンが備えられており、写真撮影は、撮影者が撮影タイミングを見計らってこのレリーズボタンを押下することで行われている。
【０００３】
しかし、撮影者が写真撮影に慣れていない場合には、レリーズボタンの押下の際に力が入りすぎてカメラが動いてしまうという、いわゆる手ブレが発生することがある。
【０００４】
そこで、レリーズボタンの押下の際の手ぶれを防止するために、レリーズボタンがカメラに対して着脱自在にされているものが提案されている（例えば、特許文献１）。
【０００５】
この提案では、レリーズボタンの押下操作をカメラ内部に配備されたシャッタ機構に伝えるレリーズケーブルを引き出すことによりレリーズボタンをカメラから離隔し、その状態でレリーズボタンの押下操作を行うことで手ブレを抑制している。
【特許文献１】特開２００４−７７７４５号公報
【発明の開示】
【発明が解決しようとする課題】
【０００６】
ところが、これでは、レリーズボタンを元の位置に戻す際に、引き出したレリーズケーブルをカメラ内部に押し込む操作が煩わしいという問題がある。
【０００７】
尚、上記問題は、カメラに限らず、カメラ付きの携帯電話など、レリーズボタンの押下操作により手ブレが発生するおそれがある撮影装置であれば同様に起こりうる問題である。
【０００８】
本発明は、上記事情に鑑み、手ブレの抑制に伴う手間を省く工夫が図られた撮影装置を提供することを目的とする。
【課題を解決するための手段】
【０００９】
上記目的を達成するための本発明の撮影装置は、
筐体と、この筐体内に配備された、撮影指示に応じて被写体の撮影を行う撮影部とを有する撮影装置において、
レリーズボタンを有する頭部と、このレリーズボタンの押下操作による操作指示を上記撮影部に伝えるレリーズケーブルとを有するケーブルレリーズ、および
上記筐体内部に配備された、上記レリーズケーブルを巻き取る方向に付勢しこのレリーズケーブルを引き出し自在に巻き取る巻取機構を備えたことを特徴とする。
【００１０】
本発明の撮影装置は、レリーズケーブルを巻き取る方向に付勢する巻取機構を備えていることから、引き出したレリーズケーブルは撮影者が手を離せば巻き取られるようになっている。したがって、本発明の撮影装置によれば、手ブレの抑制のために引き出したレリーズケーブルを収納する手間を省くことができる。
【００１１】
ここで、上記筐体が、上記巻取機構により巻き取られた状態における上記レリーズケーブルの上記頭部を着脱自在に固定する固定部を備えたものであってもよい。
【００１２】
また、引き出された状態の上記レリーズケーブルの巻取りを解除自在に阻止するストッパ機構を備えることが好ましい。
【００１３】
このようにすると、手を離しても、レリーズケーブルを引き出したままの状態とすることができる。
【００１４】
ここで、上記ストッパ機構が、上記巻取機構による上記レリーズケーブルの引出しおよび巻取りに連動して回転するラチェット爪と、このラチェット爪と係合して、このラチェット爪の、上記引出方向の回転を許容すると共に、上記巻取方向の回転を阻止するラチェットレバーとを有するラチェット機構からなるものであってもよい。
【００１５】
また、上記レリーズボタンの押下操作がなされてから次の押下操作がなされるまでの経過時間を計測するタイマと、
上記巻取機構による、上記レリーズケーブルの巻取りの完了を検知するセンサと、
上記タイマによる計測時間が所定時間以上となったときに上記レリーズケーブルの巻取完了が上記センサにより未検知であった場合に、上記ストッパ機構の回転阻止機能を解除する機能制御部とを備えることが好ましい。
【００１６】
このようにすると、撮影が終了してもレリーズケーブルが引き出されたままとなってしまう事態を回避でき、小さなゴミや埃の撮影装置内への侵入を抑制することができる。
【００１７】
ここで、上記撮影部への電力供給の停止指示を検知する電源オフ検知センサと、
上記レリーズケーブルの巻取りの完了を検知する巻取完了検知センサと、
上記電源オフ検知センサにより上記停止指示を検知したときに上記巻取完了が上記巻取完了検知センサにより未検知であった場合に、上記ストッパ機構の回転阻止機能を解除する機能制御部とを備えることも好ましい態様である。
【００１８】
このようにすると、撮影者などから電源オフ指示が出ているにも拘わらず、レリーズケーブルの巻取りが行われていない事態を回避することができる。
【００１９】
さらに、上記ストッパ機構の回転阻止機能の解除開始から終了までの時間を計測するタイマを備え、
上記機能制御部は、上記タイマによる計測時間が所定時間以上経過したときに、上記ストッパ機構の回転阻止機能を復帰させるものであることが好ましい。
【００２０】
このようにすると、例えば、ストッパ機構の回転阻止機能の解除を電力を消費して行っている場合には、レリーズケーブルの巻取りが故障が原因で不能となっている場合の電力の浪費を抑制することができる。
【発明の効果】
【００２１】
本発明の撮影装置によれば、手ぶれの抑制に伴う手間を省くことができる。
【発明を実施するための最良の形態】
【００２２】
以下、本発明の実施形態について説明する。
【００２３】
図１は、本発明の撮影装置の一実施形態であるカメラの外観斜視図である。
【００２４】
図１に示すカメラ１は、単焦点のコンパクトカメラであり、図１には、カメラ１の筐体１０の前面中央に嵌め込まれているレンズ１１０が点線で示されている。
【００２５】
また、図１には、カメラ１のレリーズボタン１２１が筐体１０から取り外されている様子が示されている。
【００２６】
このカメラ１では、レリーズボタン１２１を支持する支持体１２２が筐体１０に対して着脱自在になっており、筐体１０の上面には、レリズユニット１２の支持体が嵌め込まれる嵌込部１０ａが備えられている。
【００２７】
レリーズボタン１２１は、このレリーズボタン１２１を支持する支持体１２２とレリーズケーブル１２３と共にレリーズユニット１２を構成している。尚、支持体１２２の側面に備えられている凹部１２２ａ、および、筐体１０の嵌込部１０ａから支持体１２２を取り外す機構については後述する。
【００２８】
レリーズケーブル１２３は、一端は支持体１２２の底部に繋がれ、もう一端は、嵌込部１０ａを経由して筐体内に配備された、レリーズケーブル１２３を巻き取るための巻取ロール１１に繋がれている。
【００２９】
巻取ロール１１には、この巻取ロール１１の側面に固定されたラチェット爪１３３と、このラチェット爪１３３と係合してこのラチェット爪１３３の、レリーズケーブル１２３を巻き取る方向の回転である矢印Ｂの向きの回転（以下、矢印Ｂの向きの回転を順回転と称す。）を阻止するラチェットレバー１３１と、軸１３１ｂについてラチェットレバー１３１の姿勢を変化させるソレノイド１３６とで構成されたストッパユニット１３が取りつけられている。
【００３０】
このカメラ１では、手ぶれ防止のため、レリーズボタン１２１の押下を筐体１０から離れたところで行えるように、レリーズボタン１２１を支持体１２２ごと筐体１０の嵌込部１０ａから取り外せるようになっている。
【００３１】
また、このカメラ１では、レリーズケーブル１２３を巻き取る巻取ロール１１が順回転（Ｂ）するように付勢されていると共に、上述のラチェット爪１３３とラチェットレバー１３１との係合により、レリーズケーブル１２３を引き出すための回転方向である矢印Ａの向きの回転（以下、矢印Ａの向きの回転を逆回転と称す。）を許容しながらも、順回転が阻止されるストッパ機能が実現されている。
【００３２】
ストッパユニット１３では、ラチェット爪１３３とラチェットレバー１３１との係合に関して、ソレノイド１３６とバネ１３５の力の釣り合いを利用しており、図１には、ソレノイド１３６がオフされて、バネ１３５の収縮しようとする力により、ラチェット爪１３３とラチェットレバー１３１とが係合している様子が示されている。尚、ラチェット爪１３３とラチェットレバー１３１とが係合している場合には、ソレノイド１３６のアーム１３６ａは引き出された状態となる。
【００３３】
また、ストッパユニット１３による、ラチェット爪１３３とラチェットレバー１３１との係合は、ソレノイド１３６をオンしてアーム１３６ａを引っ込めるか、あるいは、筐体１０の側面に露出している、ラチェットレバー１３１の一部でもある解除ボタン１３１ａを筐体内に向けて押し込むことで解除できるようになっている。
【００３４】
ソレノイド１３６のオンおよびオフは、図１に示す制御部１４によって制御されており、この制御部１４には、巻取ロール１１によるレリーズケーブル１２３の巻取りが完了しているか、すなわち、筐体１０の嵌込部１０ａにレリーズボタン１２を支持する支持体１２２が嵌め込まれているか否かを検知する巻取完了検知センサ１３４、筐体１０の側面に取りつけられている電源スイッチ１５、および電源１６が接続されている。尚、制御部１４の詳細の説明は後に譲る。
【００３５】
図２は、レリーズボタンを筐体に嵌め込み固定した様子を示す図である。
【００３６】
図２には、嵌込部１０ａに敷設された板バネ１００の折り曲げられた部分である折曲部１００ａが、レリーズボタン１２１を支持する支持体１２２の側面に設けられた凹部１２２ａ内に入り込んで、レリーズボタン１２１を支持する支持体１２２ａが筐体１０の嵌込部１０ａに嵌め込まれて固定されている様子が示されている。
【００３７】
巻取完了検知センサ１３４は、ピン１３４ａと、このピン１３４ａの下部に配備されたスプリング１３４ａと、接点スイッチ（不図示）とで構成されており、嵌込部１０ａに支持体１２２が嵌め込まれるとピン１３４ａが押し下げられ、嵌込部１０ａから支持体１２２が取り外されるとピン１３４はスプリング１３４ａによって押し上げられ嵌込部１０ａの底面から突出するようになっている。また、嵌込部１０ａに支持体１２２が嵌め込まれてピン１３４ａが押し下げられると、接点スイッチがオンされるようになっており、制御部１４では、レリーズケーブル１２３の巻取りが完了したか否かを、接点スイッチからの信号によって判定できるようになっている。
【００３８】
尚、嵌込部１０ａへの支持体１２２の固定は、支持体１２２の側面に設けられた凹部１２２ａに、板バネ１００の折曲部１００ａが入り込んでなされていることから、レリーズボタン１２１を引き上げることで簡単に取り外すことができるようになっている。
【００３９】
ここで、このカメラ１の制御部１４による制御について詳細に説明する。
【００４０】
このカメラ１では、前述したように、レリーズボタン１２１の押下の際の手ぶれを防止するため、レリーズボタン１２１を筐体１０から離れたところで操作できるように筐体１０から取り外すことができるようになっているが、それに伴って筐体外に引き出されたレリーズケーブル１２３についての筐体内への巻取り収納については撮影者が任意に解除ボタン１３１ａを操作して行える他、以下に説明する機能が付加されている。
【００４１】
このカメラ１では、レリーズボタン１２１の押下操作がなされてから次の押下操作がなされるまでの経過時間が計測されており、この経過時間が所定時間以上となった場合には、制御部１４はラチェット爪１３３とラチェットレバー１３１との係合、すなわちストッパ機能をソレノイド１３６をオンすることにより解除する。これにより、レリーズケーブル１２３の巻取りが自動的に開始される。この際、巻取ロール１１によるレリーズケーブル１２３の巻取りが完了したか否かの検知もなされており、ソレノイド３６がオンされてストッパ機能が解除されてから所定時間が経過しても巻取りが完了しない場合には、レリーズケーブル１２３の巻取りに異常が発生したとしてソレノイド１３６への電力供給を停止すると共に、不図示の表示パネルに異常の発生を知らせる画像の表示を指示するようになっている。
【００４２】
図３は、図１に示す制御部において、電源スイッチがオンされると起動されるルーチンのフローチャートである。
【００４３】
図３に示すステップＳ１では、レリーズボタン１２１の押下がなされたか否かを判定し、ステップＳ１において、操作がなされていないと判定すると、ステップＳ１を繰り返し、操作がなされたと判定すると、ステップＳ２に進む。ステップＳ２では、タイマをオンする。ステップＳ３では、レリーズボタン１２１の次の押下操作がその後行われたか否を判定し、ステップＳ３において、操作がなされていると判定すると、ステップＳ４に進み、タイマをリセットし、その後、ステップＳ２に戻る。ステップＳ３において、操作がまだ無いと判定すると、ステップＳ５に進み、所定時間が経過したか否かを判定する。ステップＳ５において未だ経過していないと判定すると、ステップＳ３に戻り、経過したと判定すると、ステップＳ６に進む。ステップＳ６では、ソレノイド１３６に駆動を指示し、ストッパ機能を解除させる。ステップＳ７では、カウンタのカウント値に値１を加算し、ストッパ機能を解除させてからの経過時間の計測をスタートさせる。ステップＳ８では、カウント値が所定値以上か否かを判定する。ステップＳ８において、カウント値が所定値以上では無いと判定するとステップＳ９に進み、ステップＳ９では、巻取完了検知センサ１３４によって巻取ロール１１によるレリーズケーブル１２３の巻取りが完了しているか否かを判定する。ステップＳ９において、巻取りが完了していないと判定すると、ステップＳ６に戻り、完了していると判定すると、ステップＳ１１に進む。一方、ステップＳ８において、カウント値が所定値以上であると判定すると、まきとりに以上が発生したとしてステップＳ１０に進み、エラー表示を指示し、その後、ステップＳ１１に進む。ステップＳ１１では、ソレノイド１３６に対してオフを指示してストッパ機能を回復させ、ステップＳ１２では、カウントをゼロリセットする。ステップＳ１３では、タイマのリセットを指示する。その後、ステップＳ１に戻る。
【００４４】
このカメラ１では、さらに、電源スイッチ１５に対するオフ操作を検知した際に、巻取ロール１１による巻取りが完了しているか否かが判定され、完了していなければソレノイド１３６をオンすることによるストッパ機能の解除が行われるようになっている。この場合にも、所定時間以上、レリーズケーブル１２３の巻取完了が検知できなければ電力供給は停止される。
【００４５】
図４は、図１に示す電源スイッチがオンされると起動されるルーチンである。
【００４６】
図４に示すステップＳ２１では、電源スイッチ１５がオフされたか否かを判定し、ステップＳ２１において、電源スイッチ１５がオフされていないと判定すると、ステップＳ２１を繰り返す。ステップＳ２１でオフされていると判定されると、ステップＳ２２に進み、巻取完了が巻取完了検知センサ１３４によって検知されているか否かを判定する。ステップＳ２２において、巻取完了が検知されていないと判定すると、ステップＳ２３に進み、ソレノイド１３６をオンさせる。ステップＳ２４では、カウンタのカウント値に値１を加算する。ステップＳ２５では、ソレノイド１３６へのオン指示からの経過時間が所定時間未満のとき、すなわち、カウント値が所定値未満であるときはステップＳ２２に戻り、ステップＳ２５において、ソレノイド１３６のオン指示からの経過時間が所定時間以上経過したとき、すなわち、カウント値が所定値以上となったときは、ステップＳ２６に進む。ステップＳ２６では、カウント値をゼロリセットし、ステップＳ２７では、ソレノイドをオフする。ステップＳ２８では、電力供給の停止を指示してその後、このルーチンを終了する。一方、ステップＳ２２において巻取完了が検知されていると判定すると、ステップＳ２６に進む。
【００４７】
以上説明したように、本実施形態のカメラ１によれば、手ブレ防止のために筐体外に引き出されたレリーズケーブル１２３の筐体内への収納が自動的な巻取機構によって行われてることから、このカメラ１によれば、手ブレの抑制に伴う手間を省くことができる。
【００４８】
次に、本発明の撮影装置の第２実施形態について説明する。
【００４９】
図５は、本実施形態のカメラの外観斜視図である。尚、図５に示す部材で、図１に示す部材と同じ種類の部材には、図１において付されている符号と同じ符号を付している。
【００５０】
図１に示すカメラ１と図５に示すカメラ２との間の相違点は、カメラ１においては、ラチェット爪１３３とラチェットレバー１３１との係合の解除が、手動で行える他、制御部１４によっても自動管理されているのに対し、カメラ２では、この解除が手動でのみ行える点と、レリーズボタン１２１を支持する支持体１２２を筐体の嵌込部１０ａに固定する固定機構が異なっている点である。
【００５１】
以下では、この固定機構について説明する。
【００５２】
図５には、支持体２２２の側面に設けられた切欠２２２ａと係合すると共に筐体１０から支持体２２２を取り外す際に操作されるレバー２２４が嵌込部２０ａの側に立設され、嵌込部２０ａに凸部２０１ａが備えられている様子が示されている。この凸部２０１ａは、支持体２２２に備えられている溝２２２ｂ（図６参照）と嵌合するようになっており、これらを嵌め合わせることで支持体２２２は、筐体１０の嵌込部２０ａに対して正しい向きに固定できるようになっている。
【００５３】
図６は、嵌込部への支持体の固定の様子を示す図である。
【００５４】
図６には、支持体２２２の側面にＬ字型の切欠２２２ａが備えられている様子が示されており、図６（ａ）には、この切欠２２２ｂを形成する壁のうちの壁２２２１ａ側にレバー２２４が寄せられていることで、レバー２２４と支持体２２２とが係合して支持体２２２が嵌込部２０ａに固定されている状態が示されている。尚、このレバー２２４には、不図示のバネが取りつけられており、図６（ａ）に示す矢印Ｅの向きの付勢力が働いている。このため、レバー２２４が、一旦、上述の壁２２２１ａ側に寄せられると、撮影者などが、このレバー２２４を、矢印Ｅの向きの付勢力に抗しながら図６（ｂ）に示す矢印Ｆの向きに動かし、壁２２２１ａ側とは反対側の壁２２２２ａ側にレバー２２４を寄せない限り、この支持体２２２は嵌込部２０ａから外れないようになっている。
【００５５】
図６（ｂ）には、壁２２２１ａ側とは反対側の壁２２２２ａ側にレバー２２４が寄せられたことでレバー２２４と支持体２２２との係合が解除された様子が示されており、レバー２２４を図６（ｂ）に示す状態のまま、支持体２２２を持ち上げることでこの支持体２２２を筐体１０から取り外すことができる。
【００５６】
以上説明したように、本実施形態のカメラ２でも、レリーズボタン１２１を備えた支持体２２２が筐体１０に対して着脱自在になっていることから、この支持体２２２を筐体１０から取外すことでレリーズボタン１２１の押下操作に起因する手ブレを抑制することができ、また、取り外した後のレリーズケーブル１２３は自動的に巻取収納されるので、手ぶれの抑制に伴う手間を省くことができる。
【００５７】
尚、以上に説明した実施形態では、ストッパ機構がラチェット機構である場合を例に挙げて説明したが、本発明はこれに限るものではなく、さらには、ストッパ機構を備えていないものであってもよい。さらに、コンパクトカメラのレリーズボタン１２１を例に挙げて説明したが、本発明は、デジタルカメラ、又は、カメラ付き携帯機器を例に挙げるものであってもよい。
【図面の簡単な説明】
【００５８】
【図１】本発明の撮影装置の一実施形態であるカメラの外観斜視図である。
【図２】レリーズボタンを筐体に嵌め込み固定した様子を示す図である。
【図３】図１に示す制御部において、電源スイッチがオンされると起動されるルーチンのフローチャートである。
【図４】図１に示す電源スイッチがオンされると起動されるルーチンである。
【図５】本実施形態のカメラの外観斜視図である。
【図６】嵌込部への支持体の固定の様子を示す図である。
【符号の説明】
【００５９】
１、２  カメラ
１０  筐体
１０ａ、２０ａ  嵌込部
１１  巻取ロール
１２１  レリーズボタン
１２２、２２２  支持体
１２２ａ  凹部
１２３  レリーズケーブル
１３１  ラチェットレバー
１３１ａ  解除ボタン
１３３  ラチェット爪
１３４  巻取完了検知センサ
１３５  バネ
１３６  ソレノイド
１４  制御部
１５  電源スイッチ
１６  電源
【図１】
2007003802.tif 000003
【図２】
2007003802.tif 000004
【図３】
2007003802.tif 000005
【図４】
2007003802.tif 000006
【図５】
2007003802.tif 000007
【図６】
2007003802.tif 000008